(57)【要約】  目的地へ人21を案内する方法は、人21と音声及び／又は少なくとも１つの画像を含むコンテンツ項目との間の関連性を記憶するステップと、前記人21に関する目的地を決定するステップと、前記人21の現在の位置を決定するステップと、前記現在の位置と前記目的地との間における少なくとも１つの再生装置22,23,24,25を識別するステップと、前記識別された少なくとも１つの再生装置22,23,24,25において前記コンテンツ項目を再生するステップと、を有する。目的地へ人を案内する装置は、本発明の方法を実行するように動作可能な電子回路を含む。計算機プログラム製品は、プログラム可能装置に、本発明の方法を実行させるのを可能にする。
2010527062.tif 000002
【特許請求の範囲】
【請求項１】
目的地へ人を案内する方法であって、
−人と音声及び／又は少なくとも１つの画像を含むコンテンツ項目との間の関連性を記憶するステップと、
−前記人に関する目的地を決定するステップと、
−前記人の現在の位置を決定するステップと、
−前記現在の位置と前記目的地との間における少なくとも１つの再生装置を識別するステップと、
−前記識別された少なくとも１つの再生装置において前記コンテンツ項目を再生するステップと、
を有する方法。
【請求項２】
請求項１に記載の方法であって、前記少なくとも１つの装置を識別するステップが、前記目的地の方向における前記人の前記現在の位置の近傍にある装置を識別するステップを有する、方法。
【請求項３】
請求項１に記載の方法であって、前記現在の位置が固定位置である、方法。
【請求項４】
請求項１に記載の方法であって、前記現在の位置が、複数のカメラによってキャプチャされる画像における特徴を追跡することによって決定される、方法。
【請求項５】
請求項１に記載の方法であって、更に、前記人に前記コンテンツ項目を選択させるステップを含む、方法。
【請求項６】
請求項１に記載の方法であって、更に、前記人についての記憶された個人的詳細情報及び／又は好みに基づき、前記コンテンツ項目を選択するステップを含む、方法。
【請求項７】
プログラム可能装置に、請求項１に記載の方法を実行させる計算機プログラム。
【請求項８】
電子回路を含む、目的地へ人を案内する装置であって、当該電子装置が、
−人と音声及び／又は少なくとも１つの画像を含むコンテンツ項目との間の関連性を記憶し、
−前記人に関する目的地を決定し、
−前記人の現在の位置を決定し、
−前記現在の位置と前記目的地との間における少なくとも１つの再生装置を識別し、
−前記識別された少なくとも１つの再生装置において前記コンテンツ項目を再生する、
ように動作可能である、装置。
【請求項９】
請求項８に記載の装置、及び複数の再生装置、を含むシステム。
【発明の詳細な説明】
【技術分野】
【０００１】
本発明は、目的地へ人を案内する方法に関する。
【０００２】
本発明は、目的地へ人を案内する装置にも関する。
【０００３】
本発明は、更に、プログラム可能装置に、目的地へ人を案内する方法を実行させる計算機プログラム製品に関する。
【背景技術】
【０００４】
このような方法の例は、日本国特許書類第2000-149150号から知られている。日本国特許書類第2000-149150号は、ユーザが、ユーザの道程の経路を照らすことによって目的地へと導かれるような、病院における従業者／訪問者を案内するガイドシステムを開示する。ユーザが盲目の場合、患者の名前及び進行方向が、スピーカの音声によって同時に出力され得る。既知の方法は、アルファベット文字を表示することによって特定の方向情報が向けられるユーザを識別することが可能である。
【０００５】
個人の名前を示す又は読み上げることはプライバシー問題を引き起こし得る一方で、他方では、人が自身へ割り当てられる数字を覚えることには困難性を有し得ることは、既知の方法の欠点である。
【発明の概要】
【発明が解決しようとする課題】
【０００６】
本発明の第１の目的は、ユーザが割り当てられた数字を覚える必要がない一方で、プライバシー問題を制限する、目的地へ人を案内する方法を提供することである。
【０００７】
本発明の第２の目的は、ユーザが割り当てられた数字を覚える必要がない一方で、プライバシー問題を制限する、目的地へ人を案内する装置を提供することである。
【課題を解決するための手段】
【０００８】
本発明に従うと、第１の目的は、目的地へ人を案内する方法が、人と音声及び／又は少なくとも１つの画像を含むコンテンツ項目との間の関連性を記憶するステップと、前記人に関する目的地を決定するステップと、前記人の現在の位置を決定するステップと、前記現在の位置と前記目的地との間における少なくとも１つの再生装置を識別するステップと、前記識別された少なくとも１つの再生装置において前記コンテンツ項目を再生するステップと、を有することにおいて実施化される。当該案内の方法において、例えば、個人のペットの画像などの個人的な画像又は画像のシーケンスを表示することによって、及び／又は、例えば、特定の鳥の音などの個人的な音声部分を再生することによって、人は、この人に向けられる方向を容易に認識し得る一方で、この個人の識別性は公開される必要はない。案内方法は、例えば、ホテル、レストラン又は病院において使用され得る。ホテルにおいて、目的地は、例えば、宿泊者の自身の客室、レストラン又はジムなどであり得る。人は、同一の目的地へと案内される必要がある一群の人であり得る。
【０００９】
当該方法の実施例において、前記少なくとも１つの装置を識別するステップが、前記目的地の方向における前記人の前記現在の位置の近傍にある装置を識別するステップを有する。このことは、電力消費を節約するという有利な点を有しており、そして、人が自分自身のコンテンツ項目に焦点を当てるのをより容易にする。
【００１０】
前記現在の位置が固定位置であり得る。例えば、ホテル、病院又はレストランの受付デスクは、現在の位置として使用され得る。
【００１１】
代替的に、前記現在の位置が、複数のカメラによってキャプチャされる画像における特徴（例えば、顔特徴又は服装の特徴）を追跡することによって決定され得る。別の代替態様として、無線技術が、例えば、三角測量を用いて、現在の位置を決定するのに使用され得る。
【００１２】
前記方法は、更に、前記人が前記コンテンツ項目を選択することを可能にさせるステップを含み得る。人は、例えば、ペットの画像又はこの個人の家におけるオブジェクトの画像を選択し得る。人自身によって選択されるコンテンツ項目は、通常、非常に認識され得る。同一のコンテンツ項目が、複数のホテル、病院又はレストランにおいて使用され得る。例えば、これらのホテル、病院又はレストランは、互いに、この個人的な画像及び／又は音声を共有し得る。人は、オンラインで部屋を予約する場合に、コンテンツ項目を選択又はアップロードすることを許可され得る。
【００１３】
前記方法は、更に、前記人についての記憶された個人的詳細情報及び／又は好みに基づき、前記コンテンツ項目を選択するステップを含み得る。このことは、ユーザ相互作用をあまり必要としないという有利な点を有するが、自動的に選択されるコンテンツ項目は、通常、ユーザ自身で選択されたコンテンツ項目よりもあまり認識されない。自動的に選択されるコンテンツ項目は、例えばGoogle  Earthなどから取得される、例えば、人の自宅の近くのオブジェクトの写真などであり得る。人は、オンラインで部屋を予約する場合に、コンテンツ項目を選択又はアップロードすることを許可され得る。
【００１４】
本発明の方法に従うと、第２の目的は、目的地へ人を案内する装置の電子回路が、人と音声及び／又は少なくとも１つの画像を含むコンテンツ項目との間の関連性を記憶し、前記人に関する目的地を決定し、前記人の現在の位置を決定し、前記現在の位置と前記目的地との間における少なくとも１つの再生装置を識別し、前記識別された少なくとも１つの再生装置において前記コンテンツ項目を再生する、ように動作可能であることにおいて実施化される。
【００１５】
本発明のこれら及び他の態様は、例示を目的として、図面から明らかであり、これらの図面を参照して更に説明される。
【００１６】
図面における対応する要素は、同一の参照符号を用いて記される。
【図面の簡単な説明】
【００１７】
【図１】図１は、本発明の方法のフロー図である。
【図２】図２は、本発明のシステムの実施例の一部の概略図である。
【図３】図３は、本発明の装置のブロック図である。
【発明を実施するための形態】
【００１８】
図１を参照すると、目的地へ人を案内する方法は、５つのステップを含む。ステップ１は、人とコンテンツ項目との間の関連性を記憶するステップを含み、コンテンツ項目は音声及び／又は少なくとも１つの画像を含む。ステップ３は、前記人に関する目的地を決定するステップを含む。ステップ５は、前記人の現在の位置を決定するステップを含む。ステップ７は、前記現在の位置と前記目的地との間における少なくとも１つの再生装置を識別するステップを含む。ステップ９は、前記識別された少なくとも１つの再生装置において前記コンテンツ項目を再生するステップを含む。
【００１９】
図２は、ビルの一部分において人２１によって取られる経路を示す。この経路において、４つの再生装置２２乃至２５が、人をその目的地へと案内するために、コンテンツ項目を再生する。この実施例において、人２１は、例えば、携帯電話などの、ＲＦＩＤトークンを身につけ、人２１が再生装置に十分近くに来ると、コンテンツ項目は、次の再生装置において再生される。例えば、人２１が、コンテンツ項目を再生している再生装置２５の十分近くに来る場合に、再生装置２４も、コンテンツ項目の再生を開始する。再生装置２５は、再生装置２４がコンテンツ項目の再生を開始するとすぐに、コンテンツ項目の再生を停止する。再生装置２２乃至２５は、例えば、スピーカ又はテレビなどであり得る。再生装置２２乃至２５がテレビである場合、これらのテレビは、例えば、ホテルの近隣のアトラクションの情報などの、情報を人２１が閲覧することを可能にさせることが出来る。
【００２０】
図３は、本発明の電子装置３１を示す。電子装置３１は、電子回路３３を含む。電子回路は、人と音声及び／又は少なくとも１つの画像を含むコンテンツ項目との間の関連性を記憶し、前記人に関する目的地を決定し、前記人の現在の位置を決定し、前記現在の位置と前記目的地との間における少なくとも１つの再生装置を識別し、前記識別された少なくとも１つの再生装置において前記コンテンツ項目を再生する、ように動作可能である。
【００２１】
電子装置３１は、更に、記憶手段３５、再生手段３７、入力部３９及び／又は出力部４１を含み得る。電子回路３３は、例えば、汎用目的又は特定目的処理器などであり得る。電子回路３３は、計算機プログラムを実行することが可能であり得る。記憶手段３５は、例えば、ハードディスク、ソリッドステートメモリ、光学ディスク読取器、又はホログラフィック記憶手段などを含み得る。再生手段３７は、例えば、ディスプレイ及び／又はラウドスピーカなどであり得る。入力部３９及び出力部４１は、例えばＵＳＢコネクタ又はイーサネットコネクタなどのネットワークコネクタ、cinchコネクタ又はSCARTコネクタなどのアナログ音声及び／又はビデオコネクタ、HDMI又はSPDIFコネクタなどのデジタル音声及び／又はビデオコネクタ、等を含み得る。入力部３９及び出力部４１は、無線受信器及び／又は送信器を含み得る。
【００２２】
再生手段３７は、受付デスクにおいてコンテンツ項目を再生するように使用され得、これにより、客は、どのコンテンツ項目がこの客を案内するのに使用されるかを知るようにされる。代替的に、コンテンツ項目は、出力部４１を用いて外部再生手段で再生され得る。入力部３９は、客がコンテンツ項目を選択させるために使用される。出力部４１は、再生装置を制御するのに使用され得る。記憶手段３５は、客とコンテンツ項目との間の関連性、及び任意選択的にコンテンツ項目自体を記憶するのに使用され得る。入力部３９及び出力部４１は、他の装置、例えば同一のチェーンの他のホテルで使用される装置など、と関連性及び／又はコンテンツ項目を交換するのに使用され得る。
【００２３】
本発明は、好ましい実施例及び変更態様の形式で開示されているが、上述の原理に含まれるこれらの実施例の修正態様も、当業者にとって明らかであり、本発明は、上述の実施例に制限されず、これらの修正態様を含むように意図されることを理解され得る。本発明は、各新規な特徴及び特徴的な構成の各組合せに備わっている。請求項における参照符号は、これらの保護範囲を制限しない。「有する」という動詞及びその活用形の使用は、請求項に記載される以外の異なる他の要素又はステップの存在を排除しないことは明らかである。単数形の構成要素は、複数個の斯様な構成要素の存在を排除しない。
【００２４】
「手段」は、当業者にとって明らかであるように、単独でも他の機能と組み合わせて、分離して又は他の要素と協働して、いかなるハードウェア（個別若しくは集積回路又は電子素子など）、又は動作時に実行する若しくは特定の機能を実行するように設計されるソフトウェア(プログラム又はプログラムの一部など)を含むように意味される。本発明は、いくつかの個別の要素を含むハードウェアを用いて、及び適切にプログラムされる計算機を用いて、実施化され得る。いくつかの手段を列挙する装置の請求項において、これらの手段のいくつかは、単一のハードウェアによって実施化され得る。「計算機プログラム（製品）」は、フロッピーディスク（登録商標）などの計算機読取り可能媒体に記憶される、インターネットなどのネットワークを介してダウンロード可能な、又はいずれかの手法で取引可能な、いずれかのソフトウェア製品を意味するように理解されるべきである。
【図１】
2010527062.tif 000003
【図２】
2010527062.tif 000004
【図３】
2010527062.tif 000005
【国際調査報告】
2010527062.tif 000006
2010527062.tif 000007
2010527062.tif 000008